(57)【要約】【課題】  本考案のコネクターは切断または単独不通の回路の接続と電流導通に適用している。【解決手段】  このコネクターには一つ絶縁基板を含み、この絶縁基板には縦横マトリックスアウト配置のスロットがあり、それぞれスロットの中には通電できる導電バネが挿入することにより、この絶縁基板に縦横マトリックス配置の導電バネグループが構成される。この絶縁基板のスロットの構造は二つヘッドカット円錐形溝を相互に背合わせに連結したのであるし、背合わせ部分はこのスロットの中の径が一番小さい部分である。その中に挿入した導電バネの中間部分はその最小径のところにロックされ、脱落されなく、この導電バネの両端方向へ自由伸縮もできる。従いまして、上述のラバーコネクターの通電連結端子が構成されたのである。この絶縁基板のスロット構造としては底面に錫ボールが設けた電子エレメントを位置決めの働きを果たしている。【選択図】  図７
0003121575.tif 000002
【実用新案登録請求の範囲】
【請求項１】
コネクタにおいて、絶縁基板、及び、該絶縁基板を挿置し、且つ、縦横マトリックスアウトされた導電バネグループを含み、該絶縁基板に縦横マトリックスアウトされたスロットアレーを設け、且つ、各スロットに導電バネが挿置され、該スロット構造が２個の錐台形溝の相対による接続で構成され、且つ、相互接続部分が該スロット内部の口径で最も小さい頸部で、挿入された導電バネの中段が対応するスロット内部の頸部によって緊密に該頸部箇所に係止することで、該導電バネ両端が自由に伸縮できるように保持することを特徴とするコネクタ。 
【請求項２】
コネクタにおいて、絶縁基板、及び、該絶縁基板を挿置し、且つ、縦横マトリックスアウトされた導電バネグループを含み、該絶縁基板に縦横マトリクスレイアウトされたスロットアレーを設け、且つ、各スロットの内部に位置決め用バンプを具え、及び、各スロットに導電バネが挿置され、且つ、挿入された導電バネの中段が対応するスロット内部の位置決め用バンプによって緊密に係止することで、該導電バネ両端が自由に伸縮できるように保持することを特徴とするコネクタ。
【考案の詳細な説明】
【技術分野】
【０００１】
本考案、一種の電気連結機能及び位置決め機能のコネクターである。
【背景技術】
【０００２】
このラバーコネクター（RUBBER CONNECTOR）10の構造は図1より示すように、これは一つの絶縁ソフトシリコンラバー層11及びこの絶縁基板に設けた縦横マトリックスアウト配置の導電バネグループ15より構成される。このラバーコネクター10の特徴はコネクターの機能のほかに弾性ダンパーの働きもあるが、絶縁ソフトシリコンラバー層11がぶつかられたり、衝撃されても、弾性戻しまたは回復の能力がある。ぶつかられたり衝撃されたりして外力が消失後、すぐ元の外力を受けなかった位置に戻るので、このラバーコネクター10は長期間繰り返し使用できる特徴がある。
【０００３】
ラバーコネクター10としては切断または単独不通の回路の接続と電流導通に適用している。図2より示すように、プレンター回路板40と電子エレメント50との連結はこのラバーコネクターより電性連結に達する。そして、このラバーコネクター10の中に設けた導電バネグループ15の衝撃緩和によりプレンター回路板40と電子エレメント50と信頼または安定した電性連結に達した。予定の機能を発揮することができる。
【考案の開示】
【課題を解決するための手段】
【０００４】
このラバーコネクター10は必ず絶縁ソフトシリコンラバー層11を利用して導電バネグループ15を完全に覆われ、縦横マトリックスアウト配置の導電バネグループ15は絶縁ソフトシリコンラバー層11の保護が得られた。従いまして、このラバーコネクター10のデメリットは導電バネグループ15の両端が拘束され、自由に伸縮できないし、このラバーコネクター10としては使用範囲上制限されている。このラバーコネクター10は電気連結機能のほかにその他の機能がない。
【０００５】
本考案の主な目的はコネクターを開発するためである。これは電的連結の機能のほか、底面に錫ボールが設けた電子エレメントにとっては位置決めの働きも果たしている。この構造は一つ絶縁基板、この絶縁基板に設けた縦横マトリックスアウト配置の導電バネグループより構成される。この絶縁基板に縦横マトリックスアウト配置のスロットを設け、それぞれスロットの構造は二つヘッドカット円錐形溝を相互に背合わせに連結したのであるし、背合わせ部分はこのスロットの中の径が一番小さい部分である。その中に挿入した通電スプリングの中間部分はそのスロット最小径のところに引っかかって、この通電スプリングの両端方向へ自由伸縮の状態を保持し、このコネクターの使用範囲を広くさせる。
【考案の効果】
【０００６】
この絶縁基板の両側は設けたスプリング群の両端を採用して導電及び弾性機能を備えた連結端子を制作する。これは切断または単独不通の回路の接続及び電流通過に適用できる。この絶縁基板のスロット構造は底面に錫ボールが設けた電子エレメントにとっては位置決めの働きを果たしている。
【実施例】
【０００７】
図３より示すように、今回開発されたコネクター20は一つ絶縁基板21も含め、基板には縦横マトリックスアウト配置のスロット22が設けてあり、それぞれスロット22の中には1個つづ導電バネ30を埋めこんでおり、埋め込まれた導電バネ30の中間部分はスロット22の中に固定されているので、埋め込まれた導電バネ30の両端はそれぞれ絶縁基板21の両側に尖っており、自由伸縮もできる。本絶縁基板21の両側である導電バネ30の両端には自由に動ける導電連結端子がある。
【０００８】
図3と図4より示すように、この絶縁基板21のスロット22の形状は真中の口径が小と両側口径大である。真中口径一番小さい位置は23である。図4より変わるように、スロット22は二つヘッドカット円錐形溝を相互に背合わせに構成されたのである。従いまして、背合わせ部分はこのスロット22の一番狭い頸部23である。
【０００９】
このスロット22の一番狭い頸部23は埋め込まれている導電バネ30よりやや小さい方が良い。導電バネ30の中間部分はスロット22の一番狭い頸部23のところまで挿入すると、その一番狭い処にクリップされる。導電バネ30の真中はスロット22の中に固定されるし、導電バネ30の両端は自由伸縮も確保できる。
【００１０】
だから、絶縁基板21のそれぞれのスロット22の中に皆導電バネ30を入れてから、この絶縁基板21には沢山の縦横マトリックスアウト配置の導電バネがある。これらの導電バネの両端はそれぞれ絶縁基板21の両側に尖っており、絶縁基板21の両側は導電と弾性の機能が持っている。よって、切断及び単独不通の回路の接続及び電流導通に適用している。
【００１１】
図５〜図７より示すように、今回開発されたコネクター20は底面に設けられてある錫ボール51または回路接点52の電子エレメント50にも使用できる。電子エレメント50とプリンター回路基板40との連結は今回開発されたコネクター20を使用して電的連結を構成するとき、絶縁基板21の両側に導電バネ30より構成された連結点はプリンター回路基板40に設置された電気回路接点41及び電子エレメント50の底面に設置された錫ボール51または回路接点52と緊密接触が形成される。従いまして、プリンター回路基板40と電子エレメント50との電性連結は非常に安定で、信頼できる。予測通りの機能にプリンター回路基板40と電子エレメント50を発揮させる。
【００１２】
絶縁基板21のスロット22をヘッドカット円錐形溝を設計した目的は下記の通りである。一つはこの導電バネ30の両端を自由伸縮すること。二つは底面に錫ボール51を設置した電子エレメント50に位置決めの効果を提供している。たとえば、図５及び図７より示すように、底面に錫ボール51を設置した電子エレメント50と今回開発されたコネクター20より電性接触を構成するとき、電子エレメント50の錫ボール51はそれに対応するスロット22のヘッドカット円錐形溝に嵌め込む。このような構造は錫ボール51に位置決めの機能を発揮させる。
【００１３】
図８より示すように、今回開発されたコネクター20をもう一つ具体的に実施した例としては、絶縁基板21に設置されたスロット22の中にある位置決め用バンプ24があり、導電バネ30の中間部分をスロット22の中に挿入する時、このスロット22の中位置決め用バンプ24は導電バネ30の中間部分をロックする。この組み付け方式は導電バネ30の中間部分はスロット22の中に固定され脱落しないし、この導電バネ30の両端も自由伸縮の状態を保持できる。底面に設置された錫ボール51または回路接点52である電子エレメント50について、この絶縁基板21に設置されたスロット22としては位置決め効果もある。
【００１４】
上記に開示した内容は、最適の具体的な実施例であり、本考案の考案目的と達成できる効果といわゆる同様の効果或いは均等性を構成することであり、且つ当該項目の技術を熟知しているものが容易に完成できる簡単的な修正、修飾、改良、或いは、改変について、本考案が主張している実用新案登録請求の範囲に属するものとする。
【図面の簡単な説明】
【００１５】
【図１】従来のラバーコネクター拡大図。
【図２】図1より示すようラバーコネクターの使用状況概略図。
【図３】コネクター構造拡大図。
【図４】コネクター、導電バネ中部、絶縁基板及びスロットなど関連拡大図。
【図５】電子エレメント、プリンター回路基板及新開発コネクターの電性連結の第１の慨略図。
【図６】電子エレメント、プリンター回路基板及新開発コネクターの電性連結の第２の慨略図。
【図７】電子エレメント、プリンター回路基板及新開発コネクターの電性連結の第３の慨略図。
【図８】位置決め用バンプ付きコネクターのスロット内部構造拡大図。
【符号の説明】
【００１６】
10  ラバーコネクター
11  ソフトシリコンラバー層
15  導電バネグループ  
20  コネクター
21  絶縁基板  
22  スロット
23  頸部
24  位置決め用バンプ
30  導電バネ
40  プリンター回路基板
41  電気回路接点
50  電子エレメント
51  錫ボール
52  電気回路接点
【図１】
0003121575.tif 000003
【図２】
0003121575.tif 000004
【図３】
0003121575.tif 000005
【図４】
0003121575.tif 000006
【図５】
0003121575.tif 000007
【図６】
0003121575.tif 000008
【図７】
0003121575.tif 000009
【図８】
0003121575.tif 000010